(57)【要約】【課題】  ＤＶＤを収容して陳列棚に配列する為の袋型ケースの提供。【解決手段】  袋型ケースは長方形をした上シート６、中シート７、下シート８、及び不織布５を重ね合せた構造とし、ＤＶＤ２を挿入する上収容部１とタイトル紙４を挿入する下収容部３を設け、上シート６の縦辺１１ｂを中シート７の縦辺１０ｂの間には背表紙１２が見えるようにしている。【選択図】    図１
2018158760.tif 000002
【特許請求の範囲】
【請求項１】
ＤＶＤやＣＤ等を収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有して上記上シート及び不織布より横寸法を大きくし、中シートと下シートは１辺を残して他の３辺の縁を融着などで固定してタイトル紙が挿入出来る開口とし、上シートは不織布と共に重なり合って上記中シート面に一方の縦辺を合わせた状態で４辺を融着などで固定し、上記上シートの中央部にはＤＶＤ等を挿入する為の入口となる開口を形成したことを特徴とするＤＶＤ等のメディア収納ケース。
【請求項２】
上記開口を下側を頂点として下向きの概略三角形とした請求項１記載のＤＶＤ等のメディア収納ケース。
【請求項３】
ＤＶＤやＣＤ等を収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有して上記上シート及び不織布より横寸法を大きくし、中シートと下シートは１辺を残して他の３辺の縁を融着などで固定してタイトル紙が挿入出来る開口とし、上シートは不織布と共に重なり合って上記中シート面に一方の縦辺を合わせた状態で他方縦辺側を残して３辺を融着などで固定し、上記上シートの融着しない縦辺側にはＤＶＤ等を挿入する為の入口となる開口を形成したことを特徴とするＤＶＤ等のメディア収納ケース。
【請求項４】
ＤＶＤ等が収容される上収容部の空間を融着などで仕切り、収容したＤＶＤ等が上収容部から独りでに離脱しないようにストッパー凸片を融着域を拡大して設けた請求項３記載のＤＶＤ等のメディア収納ケース。
【請求項５】
複数枚のＤＶＤ等を収容する為に、上シートと不織布を重ね合せて１組とし、これを複数組設けた請求項３、又は請求項４記載のＤＶＤ等のメディア収納ケース。
【請求項６】
上シートにタグシールを備えた請求項１、請求項２、請求項３、請求項４、又は請求項５記載のＤＶＤ等のメディア収納ケース。
【発明の詳細な説明】
【技術分野】
【０００１】
本発明はＤＶＤやＣＤなどを収容し、主として貸出しに供することが出来るようにしたメディア収納ケースに関するものである。
【背景技術】
【０００２】
従来、ＤＶＤのレンタル用ケースとしての一般的な形態は、本体と蓋を有す箱型として構成している。すなわち、本体に設けた「ヘソ」にＤＶＤを嵌めて取付け、そして、蓋を閉じると共に、勝手に開くことが出来ないようにロックプレートを挿入した構造と成っている。また、盗難を防止する為に出入口に設置している盗難防止装置が感知することが出来るように、タグシールがロックプレートに貼着されている。
【０００３】
ところで、従来のレンタル用ケースは箱型であり、その厚さは１０ｍｍ程あることから、新作が出る度に年々増え続けるＤＶＤを陳列するスペースがなく、その為に、最近では箱型でなく、シートで構成した袋に収容した状態で棚に陳列して貸し出すようになっている。したがって、ＤＶＤを収容した袋の厚さは２〜３ｍｍ程度と薄くなり、従来の箱型ケースに比較して同じ陳列棚に数倍以上の枚数を陳列することが可能となる。
一方、従来の箱型ケースは樹脂の射出成形品であり、その製作コストは比較的高くなっている。
【０００４】
ところで、袋型レンタル用ケースにもその形態は色々知られている。図５は従来の袋型レンタル用ケースを示している具体例であり、同図の（ａ）は折畳むことで袋型レンタル用ケースとなる半透明なシート（イ）を表している。同図の（ｂ）は上記シート（イ）を折畳んで袋型レンタル用ケース（ロ）とした場合であり、該シート（イ）をＺ型に折り畳んで両縁（ト）、（ト）を融着するならば、収容部（ハ）と収容部（ニ）が形成される。
【０００５】
そこで、上記収容部（ハ）にはＤＶＤ（ホ）が収容され、収容部（ニ）にはタイトル紙（ヘ）が収容される。
同図の（ｃ）は上記収容部（ハ）にＤＶＤ（ホ）が収容され、収容部（ニ）にタイトル紙（ヘ）が収容されている場合を示している。この状態で陳列棚に配列されるが、厚さａは約２〜３ｍｍ程度であり、箱型ケースに比較して多くの枚数を配列することが出来る。
【０００６】
図６は他の袋型レンタル用ケースを示している従来例である。同図の（ａ）は半透明なシート（チ）であり、同図の（ｂ）は不織布（ル）を示している。そして、（ｃ）は折畳んで構成した袋型レンタル用ケース（ヌ）を表している。
この袋型レンタル用ケース（ヌ）にはタイトル紙（ヘ）を収容する収容部（オ）、（ワ）が形成され、ＤＶＤ（ホ）が収容される収容部（カ）には該ＤＶＤ面がキズ付くことがないように上記不織布（ル）が敷設されている。
【０００７】
特開２０１０−０１８２９６号に係る「メディア収納ケース」は、ファイル等に綴じ込んだ状態で好適に収納され、所要のものを探し出し易いように構成している。すなわち、該メディア収納ケースは、折畳状態と展開して内側を開放させた展開状態とをとり得るベースと、該ベースの内側に止着することより複数のポケットを形成し得るポケット形成部材と、折畳状態におけるベースの一端縁に形成され、綴じ具等により綴じることができる綴じ部と、ベースに形成され折畳状態におけるベースの自由端に係り合うことにより折畳状態を保持し得る保持片とを具備している。
【０００８】
特開２００５−１４５４７５号に係る「ディスクファイル」は、薄型でＤＶＤやＣＤのディスクを収納し、製作が容易なディスクファイルである。
すなわち、該ディスクファイルは、ディスクが挿入されるディスク挿入部が左右の中心線を挟み２個形成された矩形形状の第１のシートと、第１のシートに重ねられて周辺が封じられ、ディスク収納用の隙間を形成する第２のシートと、第２のシートに重ねられて上端部を除き周辺が封じられ、上端部に開口部が形成されたジャケット収納用の隙間を形成する第３のシートとを備え、ディスクは、ディスク挿入部から挿入されてディスク収納用の隙間の左右に収納され、ジャケットは、開口部から挿入されてジャケット収納用の隙間の左右に収納される。
【特許文献１】特開２０１０−０１８２９６号に係る「メディア収納ケース」
【特許文献２】特開２００５−１４５４７５号に係る「ディスクファイル」
【発明の開示】
【発明が解決しようとする課題】
【０００９】
このように、ＤＶＤを収容したレンタル用の袋型ケースは色々知られている。例えば、前記図４に示した極めて簡単な袋型ケースの場合、収容したＤＶＤ面がキズ付いたり、またタイトル紙が収容したＤＶＤに覆われて見えにくく成ったりする。
本発明はこれらの問題点を解決したものであり、製作が簡単であると共に、収容したＤＶＤ等の表面がキズ付くことなく、またタイトル紙の背表面が見えるようにした袋型のＤＶＤ等のメディア収納ケースを提供する。
【課題を解決するための手段】
【００１０】
本発明に係るＤＶＤ等のメディア収納ケースは３枚の長方形シートが使用され、そのうちの２枚は同じ大きさで、他の１枚は横幅寸法が小さくした長方形のシートが用いられる。しかも小サイズのシートにはＤＶＤ等を出し入れすることが出来る開口が設けられている。ただし、該開口の具体的な形状に関しては限定しないことにする。
ところで、３枚のシートの縁は融着されて袋型ケースを構成し、該袋型ケースにはＤＶＤ等を収容する収容部とタイトル紙を収容する収容部が形成されている。
【００１１】
ここで、上記２枚の大きなシートは位置ズレすることなく重なり合って縁が融着などで固定されるが、１辺は固定されることなくタイトル紙の挿入口としている。そして、開口を形成した小サイズのシートは不織布は互いに重なり合って、上記大サイズのシートと縁が融着される。小サイズのシートはその３辺若しくは４辺が共に融着され、開口はＤＶＤの挿入口となる。
【００１２】
本発明のＤＶＤ等のメディア収納ケースの基本形態は、１枚のＤＶＤ等を収容する為の収容部を設けているが、複数枚のＤＶＤ等を収容する為に複数の収容部を形成することも出来る。すなわち、この場合には互いに重なり合う１組の不織布と小サイズのシートを複数組重ね合せて構成する。
【発明の効果】
【００１３】
本発明のＤＶＤ等のメディア収納ケースは従来の袋型ケースと同じく、ＤＶＤ等を収容した状態の厚さは約２〜３ｍｍ程度であり、同じ陳列棚に非常に多くのＤＶＤ等を陳列することができる。そして、ＤＶＤ等の収容部には不織布が小サイズのシートと共に融着されて敷設されているために、該ＤＶＤ等を挿入しても表面がキズ付くことはない。
また、ＤＶＤ等のメディア収納ケースにはタイトル紙を収容する収容部を設けていて、該タイトル紙全面が収容したＤＶＤ等に覆われて分らなくなることはない。
【００１４】
すなわち、タイトル紙は互いに重なり合った２枚の大サイズにて形成される収容部に挿入されるが、小サイズのシート辺との間に形成されるスペースから必ずタイトル紙の背面紙が見えるようになる。
さらに、本発明のＤＶＤ等のメディア収納ケースは長方形シート及び不織布を重ね合せて縁を融着するだけで簡単に製作することが可能であり、そのコストは安くなる。
【図面の簡単な説明】
【００１５】
【図１】本発明に係るＤＶＤ等のメディア収納ケースを示す実施例。
【図２】図１に示すＤＶＤ等のメディア収納ケースを構成する各シート及び不織布。
【図３】メディア収納ケースにＤＶＤ及びタイトル紙を挿入する場合。
【図４】本発明に係るＤＶＤ等のメディア収納ケースを示す他の実施例。
【図５】従来のメディア収納ケースを示す具体例。
【図６】従来のメディア収納ケースを示す具体例。
【発明を実施するための形態】
【００１６】
図１は本発明に係るＤＶＤ等のメディア収納ケースを示す実施例で、（ａ）は正面図、（ｂ）は断面図を表している。（ｂ）の断面図においては、分り易いように厚さ方向に拡大して表示している。
同図に示すように、上層に設けている上収容部１にはＤＶＤ２が収容され、下層の下収容部３にはタイトル紙４が収容されている。また、ＤＶＤ２が収容される上収容部１には不織布５が設けられてＤＶＤ面にキズ付くことがないように考慮されている。
【００１７】
ＤＶＤ等のメディア収納ケースは、上シート６、中シート７、及び下シート８、及び上記不織布５が重なり合って構成することで、上記上収容部１及び下収容部３を構成している。そして、上シート６の中央部には下向きをした概略三角形の開口９を切欠いて形成している。この開口９を通してＤＶＤ２を上収容部１に出し入れすることが出来る。
【００１８】
図２は上記図１に示すＤＶＤ等のメディア収納ケースを構成する各シートを示している。同図の（ａ）は不織布５、（ｂ）は上シート６、（ｃ）は中シート７、（ｄ）は下シート８をそれぞれ表している。各シート６，７，８は長方形を成し、上記不織布５と上シート６は同じ縦寸法Ｈと横寸法Ｌを有し、そして中シート７と下シート８は同じ縦寸法Ｈと横寸法Ｍを有している。
ただし、不織布５及び上シート６の縦寸法Ｈは中シート及び下シートの縦寸法Ｈと同じであるが、横寸法が違っている。中シート７及び下シート８の横寸法Ｍは、不織布５及び上シート６の横寸法Ｌより大きく成っている。
【００１９】
そして、上シート６の中央部には頂点が下方に位置する下向きの概略三角形の開口９が切欠かれている。ＤＶＤ２はこの開口９から挿入することが出来るが、概略三角形とすることで、上方から挿入し易くなる。ただし、本発明ではこの開口９の形状を限定するものではなく、一定幅で横方向に延びる細長いスリット状の開口を形成することも可能である。
【００２０】
ところで、本発明のＤＶＤ等のメディア収納ケースは、図２に示す不織布５、上シート６、中シート７、及び下シート８を重ねて縁を融着して構成するもので、その形態は簡単である。同じ大きさの中シート７と下シート８は一方の縦辺１０ａを残して他の３辺を融着して閉じている。そして、同じ大きさの上シート６と不織布５は重なり合った状態で中シート７に融着している。
【００２１】
この場合、上シート６と不織布５は重なり合い、その一方の縦辺１１ａを中シート７の縦辺１０ａに合わせた状態で４辺を融着している。不織布５は上シート６の下側に配置され、中シート７と面している。
このように、上シート６、不織布５、中シート７、及び下シート８が重なり合って融着されることで、前記図１に示すＤＶＤ等のメディア収納ケースが完成する。
【００２２】
そこで、上シート６及び不織布５の他方の縦辺１１ｂと中シート７の縦辺１０ｂとの間には間隔（スペース）が存在し、中シート７の一部が表面化する。すなわち、図１に示すように上シート６及び不織布５は中シート７と位置ズレして融着している。
中シート７と下シート８は３辺が融着していて、一方側縦辺１０ａの側が開いている。したがって、縦辺１０ａ側に設けた開口からタイトル紙４を挿入することが出来、タイトル紙４の背表紙１２が中シート７から見えるようになる。
【００２３】
図３は該メディア収納ケースにＤＶＤ２とタイトル紙４を挿入する場合を表している。ＤＶＤ２は上シート６に設けている開口９から上収容部１に挿入される。上収容部１には不織布５が敷設されている為に、ＤＶＤ面は不織布５に接して中シート７に当たることはない。
そして、タイトル紙４は縦辺１０ａの側に設けている開口から挿入することが出来、タイトル紙４の背表紙１２はＤＶＤ２の下側に隠れることはなく、外から見えるようになる。
【００２４】
ところで、下収容部３の開口は中シート７及び下シート８の縦辺１０ａ側に設けているが、例えば、上辺側に設けることも可能であり、その場合にはタイトル紙４を上側から挿入することが出来る。
図４は本発明に係るＤＶＤ等のメディア収納ケースを示す他の実施例である。前記図１に示したＤＶＤ等のメディア収納ケースの場合には、上シート６に設けた開口９からＤＶＤ２を上方から挿入することが出来る形態であるが、同図の実施例では左側に開口１３を形成している。
【００２５】
そこで、ＤＶＤ２は左側部に形成した開口１３から挿入されて、上収容部に収容されるが、上収容部からＤＶＤ２が独りでに離脱しないようにストッパー凸片１４，１４を設けている。該ストッパー凸片１４，１４は上シート６を中シート７に融着する領域を一部拡大することで形成され、両ストッパー凸片１４，１４間の距離はＤＶＤ２の直径とほぼ同じ寸法としている。
そして、タイトル紙４を挿入する為の開口は前記図１に示したＤＶＤ等のメディア収納ケースの場合と同じく、右側に設けている。
【００２６】
ところで、前記図４に示した実施例のＤＶＤ等のメディア収納ケースは、１枚のＤＶＤ２を収容することが出来る場合であるが、複数枚のＤＶＤ２，２・・・を収容することが出来るように構成することも可能である。
互いに重なり合う上シート６と不織布５を１組とした場合、複数組を積層することでＤＶＤ２，２・・・の収容部を複数設けることが出来る。
【００２７】
一方、このＤＶＤ等のメディア収納ケースにも、従来の箱型ケースの場合と同じように、盗難防止を図る為にタグシールを取付けることも必要である。箱型ケースの場合にはロックプレートにタグシールを貼着しているが、本発明のようなシートで構成しているケースの場合には、ロックプレートが無い為に、完全な盗難防止を図ることは容易でないが、例えば上シート６の一部に小さい収容部を設け、この収容部にタグシール片を入れることが可能である。
【符号の説明】
【００２８】
１   上収容部
２   ＤＶＤ
３   下収容部
４   タイトル紙
５   不織布
６   上シート
７   中シート
８   下シート
９   穴
10   縦辺
11   縦辺
12   背表紙
13   開口
14   ストッパー凸片
【図１】
2018158760.tif 000003
【図２】
2018158760.tif 000004
【図３】
2018158760.tif 000005
【図４】
2018158760.tif 000006
【図５】
2018158760.tif 000007
【図６】
2018158760.tif 000008
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
ＤＶＤやＣＤをタイトル紙と共に収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有して上記上シート及び不織布より横寸法を大きくし、中シートと下シートは１辺を残して他の３辺の縁を融着で固定してタイトル紙が挿入出来る開口とし、上シートは不織布と共に重なり合って上記中シート面に一方の縦辺を合わせた状態で４辺を固定して上記上シートのシート辺との間には上記中シートと下シート間に挿入されるタイトル紙の背面紙が見えるスペースを形成し、上記上シートの中央部にはＤＶＤやＣＤを挿入する為の入口となる開口を形成したことを特徴とするＤＶＤ等のメディア収納ケース。
【請求項２】
上記開口を下側を頂点として下向きの概略三角形とした請求項１記載のＤＶＤ等のメディア収納ケース。
【請求項３】
ＤＶＤやＣＤをタイトル紙と共に収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有して上記上シート及び不織布より横寸法を大きくし、中シートと下シートは１辺を残して他の３辺の縁を融着で固定してタイトル紙が挿入出来る開口とし、上シートは不織布と共に重なり合って上記中シート面に一方の縦辺を合わせた状態で他方縦辺側を残して３辺を融着で固定して上記上シートのシート辺との間には上記中シートと下シート間に挿入されるタイトル紙の背面紙が見えるスペースを形成し、上記上シートの融着しない縦辺側にはＤＶＤやＣＤを挿入する為の入口となる開口を形成したことを特徴とするＤＶＤ等のメディア収納ケース。
【請求項４】
ＤＶＤやＣＤが収容される上収容部の空間を融着で仕切り、収容したＤＶＤやＣＤが上収容部から独りでに離脱しないようにストッパー凸片を融着域を拡大して設けた請求項３記載のＤＶＤ等のメディア収納ケース。
【請求項５】
複数枚のＤＶＤやＣＤを収容する為に、上シートと不織布を重ね合せて１組とし、これを複数組設けた請求項３、又は請求項４記載のＤＶＤ等のメディア収納ケース。
【請求項６】
上シートにタグシールを備えた請求項１、請求項２、請求項３、請求項４、又は請求項５記載のＤＶＤ等のメディア収納ケース。
【手続補正２】
【補正対象書類名】明細書
【補正対象項目名】０００９
【補正方法】変更
【補正の内容】
【０００９】
このように、ＤＶＤを収容したレンタル用の袋型ケースは色々知られている。例えば、前記図５に示した極めて簡単な袋型ケースの場合、収容したＤＶＤ面がキズ付いたり、またタイトル紙が収容したＤＶＤに覆われて見えにくく成ったりする。
本発明はこれらの問題点を解決したものであり、製作が簡単であると共に、収容したＤＶＤ等の表面がキズ付くことなく、またタイトル紙の背表面が見えるようにした袋型のＤＶＤ等のメディア収納ケースを提供する。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
ＤＶＤやＣＤをタイトル紙と共に収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有して上記上シート及び不織布より横寸法を大きくし、中シートと下シートは１辺を残して他の３辺の縁を融着で固定してタイトル紙が挿入出来る開口とし、上シートは不織布と共に重なり合って上記中シート面に一方の縦辺を合わせた状態で４辺を固定し、上記上シートの他方の縦辺と上記中シートの縦辺の間には中シートと下シート間に挿入されるタイトル紙の背面紙が見えるスペースを形成し、上記上シートの中央部にはＤＶＤやＣＤを挿入する為の入口となる開口を形成したことを特徴とするＤＶＤやＣＤのメディア収納ケース。
【請求項２】
上記開口を下側を頂点として下向きの概略三角形とした請求項１記載のＤＶＤやＣＤのメディア収納ケース。
【請求項３】
ＤＶＤやＣＤをタイトル紙と共に収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有して上記上シート及び不織布より横寸法を大きくし、中シートと下シートは１辺を残して他の３辺の縁を融着で固定してタイトル紙が挿入出来る開口とし、上シートは不織布と共に重なり合って上記中シート面に一方の縦辺を合わせた状態で他方縦辺側を残して３辺を融着で固定し、上記上シートの他方の縦辺と上記中シートの縦辺の間には中シートと下シート間に挿入されるタイトル紙の背面紙が見えるスペースを形成し、上記上シートの融着しない縦辺側にはＤＶＤやＣＤを挿入する為の入口となる開口を形成したことを特徴とするＤＶＤやＣＤのメディア収納ケース。
【請求項４】
ＤＶＤやＣＤが収容される上収容部の空間を融着で仕切り、収容したＤＶＤやＣＤが上収容部から独りでに離脱しないようにストッパー凸片を融着域を拡大して設けた請求項３記載のＤＶＤやＣＤのメディア収納ケース。
【請求項５】
複数枚のＤＶＤやＣＤを収容する為に、上シートと不織布を重ね合せて１組とし、これを複数組設けた請求項３、又は請求項４記載のＤＶＤやＣＤのメディア収納ケース。
【請求項６】
上シートにタグシールを備えた請求項１、請求項２、請求項３、請求項４、又は請求項５記載のＤＶＤやＣＤのメディア収納ケース。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
ＤＶＤやＣＤをタイトル紙と共に収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有しており、上記上シート及び不織布と比較して縦寸法は同じであるが横寸法を大きくし、中シートと下シートは１辺を残して他の３辺の縁を融着で固定してタイトル紙が挿入出来る開口とし、上シートは不織布と共に重なり合って上記中シート面に一方の縦辺を合わせた状態で４辺を固定し、上記上シートの他方の縦辺と上記中シートの縦辺の間には中シートと下シート間に挿入されるタイトル紙の背面紙が見えるスペースを形成し、上記上シートの中央部にはＤＶＤやＣＤを挿入する為の入口となる開口を形成したことを特徴とするＤＶＤやＣＤのメディア収納ケース。
【請求項２】
上記開口を下側を頂点として下向きの概略三角形とした請求項１記載のＤＶＤやＣＤのメディア収納ケース。
【請求項３】
ＤＶＤやＣＤをタイトル紙と共に収容するメディア収納ケースにおいて、該収納ケースは袋型で、半透明で長方形をした上シート、中シート、下シート、及び不織布を重ね合せた構造とし、上記上シートと不織布は同じ大きさの縦横寸法を有し、中シートと下シートは同じ大きさの縦横寸法を有しており、上記上シート及び不織布と比較して縦寸法は同じであるが横寸法を大きくし、中シートと下シートは１辺を残して他の３辺の縁を融着で固定してタイトル紙が挿入出来る開口とし、上シートは不織布と共に重なり合って上記中シート面に一方の縦辺を合わせた状態で他方縦辺側を残して３辺を融着で固定し、上記上シートの他方の縦辺と上記中シートの縦辺の間には中シートと下シート間に挿入されるタイトル紙の背面紙が見えるスペースを形成し、上記上シートの融着しない縦辺側にはＤＶＤやＣＤを挿入する為の入口となる開口を形成したことを特徴とするＤＶＤやＣＤのメディア収納ケース。
【請求項４】
ＤＶＤやＣＤが収容される上収容部の空間を融着で仕切り、収容したＤＶＤやＣＤが上収容部から独りでに離脱しないようにストッパー凸片を融着域を拡大して設けた請求項３記載のＤＶＤやＣＤのメディア収納ケース。
【請求項５】
複数枚のＤＶＤやＣＤを収容する為に、上シートと不織布を重ね合せて１組とし、これを複数組設けた請求項３、又は請求項４記載のＤＶＤやＣＤのメディア収納ケース。
【請求項６】
上シートにタグシールを備えた請求項１、請求項２、請求項３、請求項４、又は請求項５記載のＤＶＤやＣＤのメディア収納ケース。